(57)【特許請求の範囲】
【請求項１】
所望の温度を予め設定する温度設定手段と、
浴槽中の所望の水位を予め設定する水位設定手段と、
前記温度設定手段で設定された温度を一定幅だけ変更する温度変更手段と、
前記水位設定手段で設定された水位を越えて一定量の湯を注湯する指令を与える差し湯指令手段と、
前記温度変更手段で変更された温度を所定の保持時間にわたって保持し、この保持時間の経過後に前記温度設定手段で設定された元の温度に戻す変更温度一時保持手段と、
前記温度変更手段で温度が変更された場合には、温度設定手段で設定された温度よりも優先して温度変更手段で変更された後の温度となるように温度制御を行う温度制御手段と、
を備えた自動風呂装置において、
前記差し湯指令手段から差し湯指令が与えられ、かつ、前記保持時間の経過前の状態にある場合に、前記温度変更手段による温度変更後の温度と同じ温度の湯を予め設定された水位を越えて差し湯する差し湯手段を備えることを特徴とする自動風呂装置。
【請求項２】
前記保持時間を可変する保持時間可変手段を、さらに備えることを特徴とする請求項１に記載の自動風呂装置。
【請求項３】
前記保持時間可変手段は、
入浴の有無を検知する入浴検知手段と、
前記温度変更手段による温度変更に応じて計時を開始するとともに、入浴検知手段による入浴検知に応じて計時時間がリセットされる計時手段と、
を含むことを特徴とする請求項２に記載の自動風呂装置。
【発明の詳細な説明】
【０００１】
【産業上の利用分野】
本発明は、浴槽の湯水の温度と水位とを予め所望の値に設定した後、個々の入浴者の要望に応じて、湯温を一時的に上昇したり低下したり、あるいは水位を一時的に増やすことができる機能を有する自動風呂装置に関する。
【０００２】
【従来の技術】
従来の自動風呂装置においては、浴槽の湯水の温度と水位とを予め所望の値に設定した場合には(以降、これらの設定された温度と水位をそれぞれ設定温度Ｔs、設定水位Ｌsという)、その設定温度Ｔsと設定水位Ｌsに自動的に湯張りを行い、また、その後に湯温が低下した場合には設定温度Ｔsまで追い焚きをし、また、湯水の使用により水位が低下した場合には、設定水位Ｌsに達するまで注湯(以下、足し湯という)する、いわゆる自動湯張り／保温足し湯機能を有するものが提供されている。
【０００３】
しかし、このような機能を有する自動風呂装置によって、浴槽の湯水の温度と水位とが設定温度Ｔs、設定水位Ｌsに自動的に保持されるようになっていても、個々の入浴者にとっては、このような温度Ｔsと水位Ｌsとを一時的に変更したいことが起こり得る。
【０００４】
たとえば、湯温については、入浴者の体感には個人差があるので、設定温度Ｔsの湯では熱く、その入浴者個人が入浴しているときだけは、湯温を設定温度Ｔsよりも低くしたい場合がある。一方、同じ入浴者であっても、入浴後に身体が湯温に慣れてくると、そのままではぬるく感じる場合があるので、このときには、湯温を設定温度Ｔsよりも高くしたい場合がある。
【０００５】
また、水位についても、気分的にゆったりとした入浴感を味わいたい場合には、設定水位Ｌsを越えて一定量の湯を注湯(以下、差し湯という)したい場合がある。
【０００６】
そこで、このような個々の入浴者の要望に応えるために、従来技術では、湯温を設定温度Ｔsよりも一定幅ΔＴだけ増加するための操作スイッチ(以下、あつくスイッチという)、湯温を設定温度Ｔsよりも一定幅ΔＴだけ減少するための操作スイッチ(以下、ぬるくスイッチという)、一定の水量を差し湯することで設定水位Ｌsよりも増やす差し湯用の操作スイッチ(以下、たっぷりスイッチという)をそれぞれ設けた装置も提供されている。
【０００７】
すなわち、この構成の装置では、あつくスイッチがたとえば一度だけ操作された場合には、制御目標となる温度(以下、目標温度という)Ｔを設定温度Ｔsよりも一定幅ΔＴ(たとえば１℃)だけ大きくなるようにＴ＝Ｔs＋ΔＴとし、この目標温度Ｔに湯温が上昇するように追い焚きをする。このため、設定温度ＴsよりもΔＴ分だけ“あつく”の入浴感が得られる。
【０００８】
また、ぬるくスイッチがたとえば一度だけ操作された場合には、目標温度Ｔを設定温度Ｔsよりも一定幅ΔＴ(たとえば１℃)だけ小さくなるようにＴ＝Ｔs−ΔＴとし、この目標温度Ｔに湯温が低下するように注水する。このため、設定温度ＴsよりもΔＴ分だけ“ぬるく”の入浴感が得られる。
【０００９】
さらに、たっぷりスイッチが操作された場合には一定量(たとえば２０リットル)の差し湯をするため、設定水位ＬsよりもΔＬ分だけ水位が上昇し、“たっぷり”の入浴感が得られる。
【００１０】
ところで、あつくスイッチやぬるくスイッチが、たとえば一度だけ操作されるとこれに応じて目標温度がＴ＝Ｔs±ΔＴに変更されるが、その目標温度の変更状態が次の入浴者が入浴するまでそのまま長時間にわたって持続されると、次の入浴者にとっては、逆に湯温があつすぎたり、ぬるすぎたりして不快感を与えるなどの不都合が起こる。
【００１１】
したがって、このようなあつくスイッチやぬるくスイッチによる目標温度Ｔの変更は、一時的なものにするのが望ましい。
【００１２】
そこで、従来技術では、あつくスイッチ、あるいはぬるくスイッチが操作されて目標温度Ｔが変更された場合には、そのスイッチの操作時点から予め設定した所定の時間t0が経過した後は、目標温度Ｔを設定温度Ｔsに戻してＴ＝Ｔsとし、以降は、この設定温度Ｔsに湯温が維持されるように保温燃焼制御を行っている。
【００１３】
【発明が解決しようとする課題】
ところが、従来のこのような自動風呂装置においては、未だ次の問題が残されている。
【００１７】
上述のように、たっぷりスイッチが操作された場合には、設定水位Ｌsを越えてΔＬ(上記の例では２０リットルの差し湯による水位上昇)だけ水位が増すように差し湯が行われるが、従来技術では、差し湯をする場合の目標温度Ｔは、設定温度Ｔsに一致するように制御されている。
【００１８】
そのために、あつくスイッチ、あるいはぬるくスイッチを操作して湯温を変更しても、保持時間t0の経過前に、たっぷりスイッチが操作された場合には、設定温度Ｔsの湯水が差し湯されることになり、せっかくあつくしたのにぬるくなってしまったり、逆にぬるくしたのにあつくなるなど、本人にとって所望の入浴感を味わえなくなる。
【００１９】
本発明は、上記の問題点を解決するためになされたもので、設定温度よりも"あつく"あるいは"ぬるく"の入浴感が、差し湯の有無に影響されることなく、本人の希望通りに継続して味わえるようにすることを課題とする。
【００２０】
【課題を解決するための手段】
本発明は、上記の課題を解決するため、次の構成を採用している。
【００２３】
請求項１記載に係る発明では、所望の温度を予め設定する温度設定手段と、浴槽中の所望の水位を予め設定する水位設定手段と、前記温度設定手段で設定された温度を一定幅だけ変更する温度変更手段と、前記水位設定手段で設定された水位を越えて一定量の湯を注湯する指令を与える差し湯指令手段と、前記温度変更手段で変更された温度を所定の保持時間にわたって保持し、この保持時間の経過後に前記温度設定手段で設定された元の温度に戻す変更温度一時保持手段と、前記温度変更手段で温度が変更された場合には、温度設定手段で設定された温度よりも優先して温度変更手段で変更された後の温度となるように温度制御を行う温度制御手段とを備えた自動風呂装置において、前記差し湯指令手段から差し湯指令が与えられ、かつ、前記保持時間の経過前の状態にある場合に、前記温度変更手段による温度変更後の温度と同じ温度の湯を予め設定された水位を越えて差し湯する差し湯手段を備えている。
【００２４】
請求項２記載に係る発明の自動風呂装置では、請求項１に記載の構成において、前記保持時間を可変する保持時間可変手段をさらに備える。
【００２５】
請求項３記載に係る発明の自動風呂装置では、請求項２に記載の構成において、保持時間可変手段は、入浴の有無を検知する入浴検知手段と、前記温度変更手段による温度変更に応じて計時を開始するとともに、入浴検知手段による入浴検知に応じて計時時間がリセットされる計時手段とを含む。
【００２８】
請求項１記載に係る自動風呂装置では、差し湯指令手段から差し湯指令が与えられ、かつ、保持時間の経過前の状態にある場合には、温度変更手段による温度変更後の温度と同じ温度の湯が差し湯手段によって予め設定された水位を越えて差し湯されるので、その差し湯の有無に影響されることなく、"あつく"あるいは"ぬるく"の入浴感を継続して味わうことができる。
【００２９】
請求項２記載に係る自動風呂装置では、請求項１に記載の構成において、保持時間を可変する保持時間可変手段をさらに備えているから、設定温度よりも"あつく"あるいは"ぬるく"の入浴感が、他人に影響せず、かつ、入浴時間の長短に影響されることなく継続して味わうことができる。
【００３０】
特に、請求項３の構成とすれば、保持時間は自動的に可変されるから、余分な操作は不要であり、便利がよい。
【００３１】
したがって、請求項１ないし請求項３のいずれの構成においても、個々の入浴者が常に快適な入浴を楽しむことができる。
【００３２】
【実施例】
図１は、本発明の実施例に係る自動風呂装置の構成図である。
【００３３】
この実施例の自動風呂装置１は、浴槽２に両端が接続された循環水路４を備え、この循環水路４の途中には、追焚用の熱交換器６および強制循環用の循環ポンプ８が設けられ、循環ポンプ８の上流側に浴槽２の水位を検出する水位センサ１０が、循環ポンプ８よりも下流側の熱交換器６に至る途中位置には、浴槽２に貯留されている湯水の温度ＴFを検出する温度センサ１２がそれぞれ配置されており、追焚用の熱交換器６に対しては、これを加熱するガスバーナ１４が設けられている。なお、特許請求の範囲における入浴検知手段が上記の水位センサ１０に対応している。
【００３４】
また、循環水路４の循環ポンプ８よりも上流側で水位センサ１０に至る途中位置には、給湯水路１５が接続されており、この給湯水路１５には、上流側に向けて逆止弁１６、開閉弁１７、給湯器１８、および入水温度を検出する温度センサ１９が順次接続されている。
【００３５】
さらに、この実施例の自動風呂装置１は、リモコン装置２０とコントローラ２２とを備える。
【００３６】
リモコン装置２０は、コントローラ２２に対して各種の指令を入力するものであって、操作パネル上に、本例では、設定温度Ｔsを決めるための温度設定スイッチ３１、設定水位Ｌsを決めるための水位設定スイッチ３２、自動湯張り／保温足し湯機能モードを指定するための自動運転スイッチ３３、湯温を設定温度Ｔsよりも一定幅ΔＴだけ増加するためのあくつスイッチ３４、湯温を設定温度Ｔsよりも一定幅ΔＴだけ減少するためのぬるくスイッチ３５、水位を設定水位Ｌsよりも一定量ΔＬだけ増やすためのたっぷりスイッチ３６を含む各種のスイッチ類が配置されている。
【００３７】
なお、特許請求の範囲の温度設定手段が上記の温度設定スイッチ３１に、水位設定手段が水位設定スイッチ３２に、温度変更手段があつくスイッチ３４およびぬるくスイッチ３５に、差し湯指令手段がたっぷりスイッチ３６にそれぞれ対応している。
【００３８】
コントローラ２２は、たとえばマイクロコンピュータで構成されるもので、演算制御部４１、メモリ４２、および内部タイマ４３を備えており、リモコン装置２０の各スイッチ類からの入力データ、水位センサ１０や温度センサ１２等からの検出信号に基づいて、追い焚き用のガスバーナ１４と給湯器１８の燃焼制御を行うとともに、各可動部８，１７，…の制御を行うようになっている。
【００３９】
そして、特許請求の範囲における変更温度一時保持手段および温度制御手段がコントローラ２２によって構成され、また、特許請求の範囲における保持時間可変手段が、水位センサ１０とコントローラ２２によって構成され、さらに、特許請求の範囲における差し湯手段が、コントローラ２２と給湯器１８とによって構成される。
【００４０】
次に、上記構成の自動風呂装置の動作について、図２に示すフローチャートを参照して説明する。
【００４１】
なお、ここでは、予め温度設定スイッチ３１と水位設定スイッチ３２とが操作されて設定温度Ｔsおよび設定水位Ｌsが決められ、また、自動運転スイッチ３３が操作されて自動湯張り／保温足し湯モードが設定されており、このため、浴槽２には、既に設定温度Ｔsの湯が設定水位Ｌsまで自動的に湯張りされているものとする。
【００４２】
この状態で、コントローラ２２は、あつくスイッチ３４が操作されているか否かを判断する(ステップ２)。あつくスイッチ３４が操作されていなければ、次に、ぬるくスイッチ３５が操作されているか否かを判断する(ステップ３)。
【００４３】
あつくスイッチ３４とぬるくスイッチ３５がいずれも操作されていなければ、目標温度Ｔの変更がないことを示すためにフラグＦを“０”にセットした後(ステップ４)、次に、たっぷりスイッチ３６が操作されているか否かを判断する(ステップ７)。
【００４４】
ここで、たっぷりスイッチ３６が操作されていた場合には、コントローラ２２は、開閉弁１７を開いて目標温度Ｔ(＝Ｔs)の湯が給湯器１８から出湯されるように燃焼制御するとともに、循環ポンプ８を起動して、浴槽２中へ設定水位Ｌsを越えて一定量(たとえば２０リットル)だけ差し湯を行う(ステップ８)。
【００４５】
この差し湯の温度は、目標温度Ｔ(＝Ｔs)と同じであるから、湯温の不意の上昇や低下がなく、その温度Ｔでの入浴感をそのまま継続することができる。その後は、ステップ１０に移行する。
【００４６】
これに対して、ステップ７でたっぷりスイッチ３６が操作されていない場合には、コントローラ２２は、温度センサ１２の検出出力に基づき、湯温ＴFが目標温度Ｔよりも低下した場合にはバーナ１４を点火するとともに循環ポンプ８を起動して、目標温度Ｔまで追い焚きをする。なお、この追い焚きは、所定時間にポンプ８を起動し、バーナ１４を点火し、湯温ＴFが目標温度Ｔに達するまで行うようにしてもよい。
【００４７】
また、水位センサ１０の検出出力に基づき、水位設定スイッチ３２で予め設定された設定水位Ｌsよりも水位が低下すれば、開閉弁１７を開いて目標温度Ｔの湯が給湯器１８から出湯されるように燃焼制御するとともに、循環ポンプ８を起動して、浴槽２中へ設定水位Ｌsに達するまで足し湯を行う(ステップ９)。
【００４８】
つまり、この足し湯の温度は、目標温度Ｔ(＝Ｔs)と同じであるから、湯温の不意の上昇や低下がなく、その温度Ｔでの入浴感をそのまま継続することができる。その後は、ステップ１０に移行する。
【００４９】
ステップ１０では、フラグＦが“０”か否かを判断し、フラグＦが“０”ならば、あつくスイッチ３４、あるいはぬるくスイッチ３５がいずれも操作されておらず、目標温度Ｔの変更がないものと判断してステップ２に戻る。
【００５０】
一方、ステップ２において、あつくスイッチ３４が操作されている場合には、温度センサ１２で検出される現在の浴槽２の湯温ＴFを取り込み(ステップ１１)、湯温ＴFが設定温度Ｔsから一定幅α(たとえば１℃)だけ低い温度範囲に入っているか否かを判断する(ステップ１２)。
【００５１】
湯温ＴFが設定温度Ｔsから一定幅αだけ低い温度範囲より外れている場合には、湯の保温のために設定温度Ｔsを目標温度Ｔとする(ステップ１４)。また、湯温ＴFが設定温度Ｔsから一定幅αだけ低い温度範囲内にあるときには、この湯温ＴFから予め設定された一定幅ΔＴ(たとえば１℃)だけ増加させた温度を目標温度Ｔ(＝ＴF＋ΔＴ)としてセットし(ステップ１６)、その目標温度Ｔまで追い焚きを行う(ステップ１３)。
【００５２】
したがって、あつくスイッチ３４をたとえば最初に一度だけ操作した場合には、現在の湯温ＴFよりも温度上昇した湯温となり、“あつく”の入浴感を味わうことができる。
【００５３】
また、ステップ３において、ぬるくスイッチ３５が操作されている場合には、コントローラ２２は、給湯器１８を燃焼することなく開閉弁１７を開き、循環ポンプ８を起動して浴槽２への注水を行う(ステップ１５)。
【００５４】
この場合の注水量ΔＱは、演算制御部４１によって次の関係式を満たすように決定される。
【００５５】
Ｑs・Ｔs＋ΔＱ・Ｔc＝(Ｑs＋ΔＱ)・(Ｔs−ΔＴ)
(ただし、Ｑs＝k・Ｌs)                                    (１)
ここに、Ｔsは設定温度、Ｌsは設定水位、Ｔcは温度センサ１９で検出された入水温度、ΔＴは温度低下すべき一定幅(たとえば１℃)、kは水量への換算係数である。
【００５６】
なお、設定温度Ｔsの代わりに温度センサ１２で検出される現在の湯温ＴFを、また、設定水位Ｌsの代わりに水位センサ１０で検出される現在の水位Ｌ0をそれぞれ使用してもよい。
【００５７】
このように、ぬるくスイッチ３５をたとえば最初に一度だけ操作した場合には、設定温度ＴsよりもΔＴだけ温度低下した湯温となり、“ぬるく”の入浴感を味わうことができる。
【００５８】
続いて、コントローラ２２は、(Ｔ−ΔＴ)で決まる温度を次の燃焼制御の目標値Ｔとして再度セットする(ステップ１７)。
【００５９】
あつくスイッチ３４、あるいはぬるくスイッチ３５が操作されて、目標温度Ｔが変更された場合には、その変更があったことを示すために、いずれもフラグＦを“１”にセットした後(ステップ１８)、内部タイマ４３に所定の保持時間βをセットして起動する(ステップ１９)。
【００６０】
この保持時間βは、入浴中の人が上がって、次の人が入浴するまでの入れ替えに要する平均的な時間と、入浴中に洗い場に居る平均的な時間とを考慮し、両者の中間の値となるように予め設定される。たとえば、１０分程度に設定され、従来の固定時間よりも短くなっている。
【００６１】
続いて、コントローラ２２は、たっぷりスイッチ３６が操作されたか否かを判断する(ステップ７)。
【００６２】
ここで、たっぷりスイッチ３６が操作されていた場合には、コントローラ２２は、前述の場合と同様に、目標温度Ｔの湯を給湯器１８から出湯して、浴槽２中へ設定水位Ｌsを越えて一定量(たとえば２０リットル)だけ差し湯を行う(ステップ８)。
【００６３】
この場合も、差し湯の温度は、変更後の目標温度Ｔと同じであるから、湯温の不意の上昇や低下がなく、その温度Ｔでの入浴感をそのまま継続することができる。
【００６４】
また、ステップ７でたっぷりスイッチ３６が操作されていない場合には、コントローラ２２は、湯温ＴFが目標温度Ｔよりも低下すれば、目標温度Ｔまで追い焚きをし、また、設定水位Ｌsよりも水位が低下すれば、設定水位Ｌsに達するまで足し湯を行う(ステップ９)。
【００６５】
この場合の足し湯の温度も、変更後の目標温度Ｔと同じであるから、湯温の不意の上昇や低下がなく、その温度Ｔでの入浴感をそのまま継続することができる。
【００６６】
次に、ステップ１０においてフラグＦが“０”か否かが判断されるが、フラグＦが“０”でない場合、すなわちＦ＝１であるときには、コントローラ２２は、あつくスイッチ３４が操作されているか否かを判断し(ステップ２６)、あつくスイッチ３４が操作されておれば、ステップ１１に戻る。また、あつくスイッチ３４が操作されていなければ、次に、ぬるくスイッチ３５が操作されたか否かを判断し(ステップ２７)、ぬるくスイッチ３４が操作されておれば、ステップ１５に戻る。
【００６７】
あつくスイッチ３４およびぬるくスイッチ３５がいずれも操作されていなければ、コントローラ２２は、水位センサ１０の検出出力に基づいて、入浴中か否かを判断する(ステップ２２)。
【００６８】
入浴中と判断された場合には、ステップ１９に戻り、内部タイマ４３のそれまでの計時時間がクリアされて保持時間βが再度セットされる。つまり、入浴が継続されておれば、結果的に内部タイマ４３が繰り返してリセットされるため、内部タイマ４３がタイムアップすることがない。したがって、変更された目標温度Ｔの下で、ステップ８の差し湯、あるいはステップ９の保温、足し湯が行われるために、その温度Ｔでの入浴感を継続して味わうことができる。
【００６９】
また、ステップ２２において、次の入浴者と交替するために浴槽２から出た場合や、本人が身体を洗うために浴槽２から一時的に出た場合には、入浴中でないと判断されるので、このときには、コントローラ２２は、内部タイマ４３の保持時間βが経過してタイムアップしたか否かが判断される(ステップ２３)。
【００７０】
内部タイマ４３の保持時間β内であって、未だタイムアップしていなければ、ステップ７に戻る。
【００７１】
そして、その後、ステップ２２で再度入浴中であるか否かが判断されるので、身体を洗うために浴槽２から一時的に出たとしても、保持時間βが経過するまでに再度浴槽２に浸かれば、内部タイマ４３がリセットされるために、この場合でも、変更された目標温度Ｔの下で、ステップ８の差し湯、あるいはステップ９の保温、足し湯が行われ、入浴感を継続して味わうことができる。
【００７２】
一方、次の入浴者と交替するために浴槽１から出た場合には、ステップ２３において、内部タイマ４３は保持時間βが経過してタイムアップするので、この場合には、目標温度Ｔを設定温度Ｔsに戻して(ステップ２４)、ステップ１に戻り、初期の状態となる。
【００７３】
【変形例】
(１)  上記の実施例では、あつくスイッチ３４とぬるくスイッチ３５の操作に伴う目標温度Ｔの変更幅はいずれもΔＴであるが、あつくスイッチ３４の操作に伴う目標温度の変更幅ΔＴ1と、ぬるくスイッチ３５の操作に伴う目標温度の変更幅ΔＴ2とを互いに異ならせる(ΔＴ1≠ΔＴ2)ようにすることも可能である。
【００７４】
(２)  上記の実施例では、あつくスイッチ３４の操作において、このスイッチ３４が操作されるたびに、現在の浴槽２の湯温ＴFを基準として、それよりもΔＴだけ温度上昇した湯温になるようにしているが、現在の湯温ＴFとは無関係に、あつくスイッチ３４が操作された場合の目標温度Ｔを、設定温度Ｔsを基準として、Ｔ＝Ｔs＋ΔＴとすることも可能である。
【００７５】
(３)  上記の実施例では、ぬるくスイッチ３５を操作した場合の実際の浴槽２の湯温ＴFの低下は測定しておらず、ぬるくスイッチ３５を操作した場合の目標温度Ｔを、Ｔ＝Ｔ−ΔＴとして決めている。
【００７６】
しかし、ぬるくスイッチ３５の操作によって“ぬるく”した後に温度センサ１２で実際の湯温ＴFを検出し、その湯温ＴFを次の目標温度Ｔとして設定することも可能である。
【００７７】
(４)  図２に示したフローチャートでは、内部タイマ４３がタイムアップするまでの間に、あつくスイッチ３４、あるいはぬるくスイッチ３５が繰り返し操作された場合には、ステップ１１から１３、あるいはステップ１５から１７の動作が行われるため、湯温が設定温度Ｔsから大きく外れてしまい、タイムアップして次の入浴者が入浴するまでの間に設定温度Ｔsに復帰していない事態が生じるおそれがある。
【００７８】
したがって、予め上限値(たとえばＴs＋２℃)あるいは下限値(たとえばＴs−２℃)を設定して、あつくスイッチ３４あるいはぬるくスイッチ３５を繰り返し操作しても目標温度Ｔがこれらの上限値あるいは下限値を越えないようにするのが望ましい。
【００７９】
(５)  上記の実施例では、水位センサ１０による入浴検知によって、内部タイマ４３の計時時間が自動的にリセットされるようにして、入浴の有無によって保持時間βを実質的に可変できるようにしているが、入浴者が入浴予定時間に併せたり、目標温度Ｔの変更を入浴初期だけにしたい場合には、保持時間βをマニュアル設定して調整できるようにすることも可能である。
【００８０】
(６)  上記の実施例では、あつくスイッチ３４とぬるくスイッチ３５のいずれが操作されても、保持時間βがリセットされるようにしているが、いずれか一方のスイッチ３４，３５が操作さたときのみ保持時間βがリセットされるようにすることも可能であり、各スイッチの操作による保持時間を異なるようにすることも可能である。
【００８１】
(７)  入浴検知手段は、水位センサ１０ではなく、浴室のドアの開閉検知や、赤外線センサ等によって浴室に人がいるかどうかを判定するようにしてもよい。なお、採用する入浴検知手段によって、それに適した保持時間βを設定すればよい。
【００８２】
【発明の効果】
本発明によれば、次の効果を奏する。
【００８５】
(１)  請求項１記載の構成においては、設定温度よりも"あつく"あるいは"ぬるく"の入浴感が、差し湯の有無に影響されることなく継続して味わうことができる。
【００８６】
(２)  請求項２記載の構成においては、設定温度よりも"あつく"あるいは"ぬるく"の入浴感が、他人に影響せず、かつ、入浴時間の長短に影響されることなく継続して味わうことができる。
【００８７】
(３)  請求項３記載の構成とすれば、保持時間は入浴の有無によって自動的に可変されるので、余分な操作は不要であり、便利がよい。
【００８８】
したがって、請求項１ないし請求項３のいずれの構成においても、個々の入浴者が常に快適な入浴を楽しむことができる。
【図面の簡単な説明】
【図１】本発明の実施例に係る自動風呂装置の構成図である。
【図２】本発明の自動風呂装置の動作説明に供するフローチャートである。
【符号の説明】
１…自動風呂装置、２…浴槽、１８…給湯器、２２…コントローラ、３１…温度設定スイッチ、３２…水位設定スイッチ、３３…自動運転スイッチ、３４…あつくスイッチ、３５…ぬるくスイッチ、３６…たっぷりスイッチ、４１…演算制御部、４２…メモリ、４３…内部タイマ。
【図１】
0003680355.tif 000002
【図２】
0003680355.tif 000003